(57)【要約】【課題】一方の読取手段が故障したとしても、他方の読取手段によって読取可能なら、装置全てを故障とせずに、各種読取を行えるようにユーザビリエィを向上させる。修理を依頼している間も、有効に読取装置として活用できる。【解決手段】複数の読取手段で挟んで、読取原稿の両面を読み取る両面画像読取装置において、照射・読取手段が故障したと判断する手段と、故障時は原稿面の入れ替えをアナウンスする伝達手段と、画像データを蓄積する記憶媒体と、蓄積されたデータを読み出す順序を切換える切換手段と、故障後も継続して読取装置として有効活用できることを特徴とする。【選択図】        図１
2004343409.tif 000002
【特許請求の範囲】
【請求項１】
原稿を搬送する原稿搬送手段と、少なくとも、原稿の表面の画情報を読み取る第一の光学読取手段と、原稿の裏面の画情報を読み取る第二の光学読取手段と、前記第一の光学読取手段の動作を制御する第一制御手段と、前記第二の光学読取手段の動作を制御する第二の制御手段と、画情報を蓄積する記憶手段を有する両面画像読取装置において、
照射手段の光量を検知する手段と、両面同時読取位置に設けた基準板と、前記基準板を前記読取手段によって読み取った際の出力を常時監視する監視手段と、前記原稿搬送手段で搬送する原稿をカウントするカウント手段と、原稿を再給紙させる等をユーザに通知する伝達手段と、読取手段と原稿の向きによって前記記憶手段の領域を分けて書き込む書き換え切り替え手段と、前記記憶手段から画像を読み出す方向を順次選択できる選択手段と、故障した一方の光学読取系の電源等を故障検知後に電源の供給を遮断するための電源遮断手段とを有し、
前記原稿搬送手段に用いて連続読取中に、一方の光学読取系の故障を起こした場合に、給紙トレイに積載された原稿がなくなるまで、読取が可能な一方の光学読取手段で、連続読取を続けることを特徴とし、かつ一方の光学読取手段が故障時は、もう一方の光学読取手段を使って読取を行なうことを特徴とする両面画像読取装置。
【請求項２】
前記請求項１記載の両面画像読取装置は、一方の前記光学読取手段が故障の時の両面読取動作を行なう場合に、一度読み取った原稿の面を反転させ、再度給紙トレイに積載するようユーザに通知する伝達手段を持つことを特徴とする。
【請求項３】
前記請求項２記載のユーザ伝達手段が、画面を切換えることによりユーザに操作指示をする表示手段を有することを特徴とする。
【請求項４】
前記請求項２、３記載のユーザ伝達手段が、音声出力手段であることを特徴とする。
【請求項５】
前記請求項２記載の両面画像読取装置は、再度原稿を給紙トレイに原稿をおいた場合、既に正常に両面読取を行なうことができた原稿は、原稿を搬送するだけで、再度読取を行なわないことを特徴とする。
【請求項６】
前記請求項１〜５記載の両面画像読取装置は、光学読取手段の故障を検知した際に、前記電源遮断手段を制御することにより、故障した光学読取手段に電源を供給しないことを特徴とする。
【請求項７】
前記請求項１〜６のいずれかに記載の両面画像読取装置と、前記画像読取装置から出力された画像を編集し、像担持体上に形成する画像形成手段を具備する複合装置において、記録紙を前記画像形成手段に反転給紙する反転給紙手段と、複数の排出トレイを有し、正常に両面読取が行なえた画像データは、前記画像形成手段で休止することなく、記録紙の両面に画情報を形成しながら排出する制御手段と、
その排出が完了した後、前記画像形成手段は一時休止し、読取原稿を反転して給紙を再開させたと同時に、前記画像形成手段を起動する手段と、読取開始の読取面及び、故障した光学読取手段に応じて、画情報を記録紙に形成せず蓄積されたままの画像データを処理する順序、排出する面の方向及び排出する排出トレイを選択手段と、前記蓄積した画像データと現在読取中の画像データを順次切換えながら、記録紙の両面に形成・排出していく手段を備えたことを特徴とする前記複合装置。
【請求項８】
前記請求項１〜６のいずれかに記載の両面画像読取装置と、前記画像読取装置から出力された画像を編集し、像担持体上に形成する画像形成手段を具備する複合装置において、記録紙を前記画像形成手段に反転給紙する反転給紙手段を有し、正常に両面読取が行なえた画像データについては、前記画像形成手段で休止することなく、記録紙の両面に画情報を形成しながら排出する制御手段と、読取面と排出面に応じて、前記画像形成手段は、前記排出終了後に、仕分け用の紙を排出するかどうか判断する手段と、仕分け用の紙を排出する排出制御手段と、
読取原稿を反転して給紙を再開させたと同時に、前記画像形成手段を起動する手段と、故障した光学読取手段に応じて、排出する面の方向を選択手段と、前記蓄積した画像データと現在読取中の画像データと順次切換えながら、記録紙の両面に形成・排出していく手段を備えたことを特徴とする前記複合装置。
【請求項９】
前記請求項８記載の仕分け用の紙を排出する排出制御手段は、画像形成装置に装備されている給紙トレイ内の原稿サイズ・向きを判断し、現在排出している原稿サイズ・向きと異なる仕分け用の紙を排出することを特徴とする。
【請求項１０】
前記請求項７〜９記載の複合装置に備わった表示手段は、原稿の整列順序が逆転している原稿束を正しく合わせるようユーザに通知する伝達手段を有することを特徴とする。
【請求項１１】
前記請求項１０記載のユーザ伝達手段が、画面を切換えることによりユーザに操作指示をする表示手段を有することを特徴とする。
【請求項１２】
前記請求項１０、１１記載のユーザ伝達手段が、音声出力手段であることを特徴とする。
【発明の詳細な説明】
【０００１】
【発明の属する技術分野】
本発明は紙等のシート状媒体の両面に記載された文字等を画像情報として、同時に読み取ることが可能な画像読取装置に関するもので、一方の光学読取系が故障した場合のユーザビリティを向上させるためのものである。
【０００２】
【従来の技術】
従来の両面画像読取装置の代表的な構成として、二種類ある。一つは各面の画像情報を読み取る手段として、一つの読取手段と、原稿の反転手段とを持った両面読取装置がある。もう一つは、読取原稿通路の両側に光学読取ユニットを配置することにより、原稿の両面を同時に読み取ることを可能にした両面画像読取装置である（例えば、特許文献１参照。）。後者の場合、二つの光学読取ユニットがともに可動して読み取る装置と自動搬送装置（Ａｕｔｏ  Ｄｏｃｕｍｅｎｔ  Ｆｅｅｄｅｒ：以下ＡＤＦという）を搭載し、光学読取ユニットは固定だが、原稿を移動させることにより両面を読み取る装置がある。
【０００３】
まず、前者の読取原稿を反転手段によって、両面を読み取る構成の読取装置は、ランプ及び、光学読取手段が複数持っていないため、故障してしまうと、読み取りができなかった。
【０００４】
また、後者の原稿の搬送路を挟んで、２つの光学読取ユニットを持つ従来の両面同時読取装置では、光量異常検知した後の動作や故障で停止させた後の復旧作業について特に考慮されていない。
【０００５】
そのため、従来の読取装置で行われている動作は、大きく分けて下記の２つの動作である。一つは、ランプ・ＣＣＤ故障検知すると、読取中の原稿だけを読取を続け、給紙トレイにまだ原稿があったとしても、ピックアップを行なわず、エラーを返し読取をやめてしまう場合である。従来の代表的な動作シーケンスは、図１０に示す。
【０００６】
もう一つは、初期化時のみ、ランプやＣＣＤ異常を検知しており、読取時にランプの光量が落ちた時、またはＣＣＤの出力が異常な時の検知を行っておらず、そのまま異常な読取を続けてしまう場合がある。この場合は、異常な読取画像を正常な画像データと処理してしまい、異常な画像を出力してしまっていた。
また、上記記載の両面同時読取装置に共通して言えることは、一方のランプ・ＣＣＤ故障を検知すると、サービスマン等にランプ交換等の修理を行なってもらわないと、初期化が正常に完了できず、使用できなくなってしまうことである。修理を依頼しても、サービスマンがすぐに来てくれない等、修理まで間ユーザが使用できず、不便になる問題があった。
【０００７】
【特許文献１】
特開平２−１２１５５７号公報（第２−７項、第３図）
【０００８】
【発明が解決しようとする課題】
上述のように、従来の両面画像読取装置では、読取中にランプ・ＣＣＤ異常を検知した後の手法についてあまり考慮されていない。そのため、読取を停止させ故障にしてしまう装置においては、ユーザが何ページまで正常に画像を出力しているかを確認し、出力されなかった原稿を別の複写機等で、もう一度読み取らす必要性がでてくる等の煩わしさがあった。
【０００９】
また、読取中にランプ故障などの故障検知をしていない両面画像読取装置においては、暗い画像が出力されたりと言った異常画像が出力されたり、無駄な出力により、資源を無駄にする、あるいは、もう一度読取をやり直すなどの手間が発生する問題があった。
【００１０】
そこで、本発明の目的は、一方の光学読取手段が故障した時及び、修理までの間も、両面及び片面読取を実現できる両面画像読取装置及び、正確な向き・順序で原稿の表面・裏面をコピーできるようユーザに読取原稿の向き及び方向の指示を行なう複合装置を提供する。
【００１１】
【課題を解決するための手段】
上述した問題を解決するために、本発明に係る両面同時読取装置は、原稿を搬送する原稿搬送手段と、少なくとも、原稿の表面の画情報を読み取る第一の光学読取手段と、原稿の裏面の画情報を読み取る第二の光学読取手段と、前記第一の光学読取手段の動作を制御する第一制御手段と、前記第二の光学読取手段の動作を制御する第二の制御手段と、画情報を蓄積する記憶手段を有する両面画像読取装置及び画像形成装置と一体になった複合装置において、照射手段の光量を検知する手段と、両面同時読取位置に設けた基準板と、前記基準板を前記読取手段によって読み取った際の出力を常時監視する監視手段と、前記原稿搬送手段で搬送する原稿の枚数を数えるカウント手段と、原稿を再給紙させること等をユーザに通知する伝達手段と、前記記憶手段の複数の領域に順次書込みを行なうための書き換え切換え手段と、前記記憶手段の複数の領域から画像を読み出す方向を領域毎に選択できる選択手段と、故障した一方の光学読取系の電源等を故障検知後に電源の供給を遮断するための電源遮断手段とを有し、前記原稿搬送手段に用いて連続読取中に、前記一つの照射手段及び読取手段が故障したときでさえ、ユーザに再給紙を指示し、正常な画像読取を行なうことを特徴とする両面画像読取装置及び正常な原稿の向きと順序でコピー画像を出力することを特徴とする複合装置である。
【００１２】
これによって、一方の光学読取系だけが故障した場合でも、正常な画像を得ることができる。また、修理するまでの通常使用できない時間でさえ、ユーザの負担は増えるものの、通常ストレートパスの搬送手段しか持たない読取装置において、両面読取及び両面コピーが使用できる。
【００１３】
また、請求項２〜４及び１０〜１２記載の両面画像読取装置は、操作手段に液晶表示手段と、音声出力手段を有し、一方の光学読取部が故障した際のユーザへの再給紙指示を、表示の画面を切換えること及び、合わせてユーザに音声を出力することを特徴とする。
【００１４】
これによって、両面読取時の表面と裏面の向きが逆になる不都合をなくすことができる。
【００１５】
ユーザが両面読取及び両面印刷する際に、表面と裏面の向きが逆向きに形成される不都合を防ぎ、正確に読取原稿を読取あるいはコピーできることようになる。
【００１６】
請求項５記載の両面画像読取装置は、正常に読込みを行なえた枚数と全原稿枚数をカウントしておき、正常に読込みを行なえた原稿については、給紙のみを行ない、再度読取を行なわないことを特徴とする。
【００１７】
これにより、蛍光灯を無駄に点灯することなく、蛍光灯の寿命を長くできる。また、再給紙する際に、ユーザは同原稿の束を餞別することなく、束を反転させておくだけで良く、ユーザの手間を省くことができる。
【００１８】
請求項６記載の両面画像読取装置は、一方の故障を検知した後、故障した照射手段及び光学読取手段に電源供給を行なわないことを特徴とする。
これによって、ランプ等発熱体の電源を強制的にＯＦＦし、もう一方の読取手段を用いた読取中の安全性を確保する。
【００１９】
請求項７記載の両面画像読取装置は、複数の排出トレイを有し、正常に両面読取が行なえた画像データは、前記画像形成手段で休止することなく、記録紙の両面に画情報を形成しながら排出する制御手段と、その排出が完了した後、前記画像形成手段は一時休止し、反転して再載置された読取原稿が搬送されると同時に、前記画像形成手段を起動する手段と、読取開始の読取面及び、故障した光学読取手段に応じて、画情報を記録紙に形成せず蓄積されたままの画像データを処理する順序、排出する面の方向及び排出する排出トレイを選択手段と、前記蓄積した画像データと現在読取中の画像データを順次切換えながら、記録紙の両面に形成・排出していく手段を備えたことを特徴とする。
【００２０】
排出口及び排紙面を選択できるようにすることにより、読取画像の順序及び向きと、コピー画像の順序と向きを簡単に揃えることをできる。また、一方の光学読取手段が故障した時の利用の際に、読み込んだ画像データを随時出力することが可能なので、スループットを向上することもできる。
【００２１】
請求項８、９記載の両面画像読取装置は、読取面と排出面に応じて、前記画像形成手段は、前記排出終了後に、仕分け用の紙を排出するかどうか判断する手段と、仕分け用の紙を排出する排出制御手段と、前記排出制御手段が画像形成装置に装備されている給紙トレイ内の原稿サイズ・向きを判断し、コピー中の原稿サイズ・向きと異なる仕分け用の紙を排出できるようにしたことを特徴する。
【００２２】
読取画像の順序と出力画像の順序が逆になる際に、仕分け用の紙を入れることによって、複数のトレイを持たない複合装置においても、あまりユーザの負担をかけずに、読取画像の順序及び向きと、コピー画像の順序と向きを簡単に揃えることをできる。また、一度全ての読取画像を読込んでから、画像を出力することもなくなるので、スループットを向上することもできる。
【００２３】
【発明の実施の形態】
（第１の実施例）
本発明に係る画像両面読取装置は、例えば、図１に示すような画像読取装置がある。この画像読取装置には、原稿自動搬送装置２０１（以下ＡＤＦと示す）を装備している。また、コンタクトガラス１０１上に載置した原稿を読み取る第１の光学読取ユニット１０６と原稿を搬送させながら原稿を読み取る第２の光学読取ユニット２０９を備えている。但し、必ずしも、第１の光学読取ユニット１０６全てが走査する構成である必要はない。
【００２４】
ここでの光学読取ユニットは、照射光源・反射ミラー・集光レンズ・ＣＣＤで構成されている。そのため、第１の読取ユニット１０６がＡＤＦ読取位置まで移動することで、給紙トレイ２０２に積載された原稿は、ピックアップローラ２０３でピックアップし、給紙ローラ２０４によって原稿読取位置まで搬送し、同時に第１の光源１０２・第２の光源２０５で照射し、第１のＣＣＤ１０５・第２のＣＣＤ２０８によって同時読取が可能となる。
【００２５】
第１の光学読取ユニット１０６を例にとると、読取方法としては、照射光源１０２からの光が原稿に照射され、その反射光が反射ミラー１０３を介して、集光レンズ１０４により読取手段であるＣＣＤ１０５に受光した後、光電変換し、主走査方向の画像情報を得る。また、ＡＤＦにより原稿を読み取る場合は、原稿を順次移動させることによって、原稿の副走査方向の画像情報を得る。その後、排紙ローラ２１１によって排紙トレイ２１２に排出される構成になっている。
【００２６】
次に図１の画像形成装置３００の説明を簡単に行なう。３０１は画像書き込み用のレーザスキャナで、読み取られた画像に対し画像処理された後、記録信号に応じてレーザー光が画像形成ドラム３１０に対し照射されて潜像が形成される。さらに図示しないトナー供給装置から供給されたトナーによってトナー像が形成される。３０２・３０３はそれぞれ紙あるいは、シートフィルム等の記録媒体を収容する上段・下段カセットである。
【００２７】
記録信号に応じてカセット３０２または３０３から記録シートがピックアップローラ３０４によりピックアップされ、搬送ローラ３０５分離ローラ３０６によって一枚づつ感光体ドラム３１０と対向する位置まで供給され、転写装置３０９によって感光体ドラム３０９に形成されたトナー像が記録媒体上に転写される。
【００２８】
そして、トナー像が転写された記録シートは定着装置３１１に送られて定着される。
【００２９】
記録媒体の両面に画像を形成する場合は、フラッパ３１２によって用紙搬送を切換え、両面搬送路３１３に搬送される。定着装置３１１によって画像定着された記録シートは、定着装置３１１の下流側に設けられた排出ローラ３１４により排紙トレイ３１５に排出される。
【００３０】
図２は、本発明にかかる両面読取装置のブロック図である。両面読取装置は、大きく分けて、二つの光学読取ユニットと、画像データやモータ制御を制御する制御部と、操作部と、画像形成部で構成されている。
【００３１】
まず、操作部４２３は、ＬＣＤ４２５と各種キーと、ユーザに操作手順を案内するためのスピーカ４２６がついている。また、ユーザへの指示をＬＣＤ４２５にアニメーションで表示できるようになっている。
【００３２】
第１の光学読取ユニットで説明すると、第１のＣＰＵはランプのＯＮ／ＯＦＦ制御やデジタル変換されたＣＣＤ出力値の比較等を行なう。ＣＣＤで読み取られたＣＣＤ出力は増幅され、ＡＤコンバータの下限電圧レベルに調整するクランプを経て、白基準板を読み取った値が最大値になるようにＡ／Ｄ変換される。そして、その後画像処理へ出力され、シェーディング補正、ＭＴＦ補正、ガンマ補正等各種画像データ処理が行なう。また、ランプ異常検知に関する方法は、特登録１９７８２７５をはじめ数多く記載しているので、ここでは詳しく述べないが、簡単に説明しておく。検知手段としては、読取位置に設置された白基準板等を用いて、原稿が搬送されるまでの紙間での基準板からの反射光をＣＣＤに入力し、そのときのＣＣＤ出力の最大置と最小値あるいは、平均値から判断することが挙げられる。
【００３３】
画像処理部から転送された画像信号を画像データ制御部で、画像形成部に送信するか、画像データ記憶媒体を各光学読取ユニットに応じて分割された領域に、順次切り替えながら記憶していくか、第３のＣＰＵが第１、第２のＣＰＵ及び画像形成部４２７と通信をして選択する。
【００３４】
次に、本発明に係る両面画像読取装置の制御方法に関し、フローチャートを用いて説明する。Ｓ１００はスタンバイ状態で、ＡＤＦ読取を行なうかＦＢ読取を行なうかを判断する。Ｓ１０１では、原稿トレイに原稿があるか検知を行なう。原稿を検知すると、Ｓ１０３に進み、片面読取か両面読取をユーザに選択される。まず、片面読取の場合について述べる。原稿トレイに載置された原稿をピックアップローラ３０４で下側分離し給紙を開始し、第２の読取ユニットで読取を行なう。すると、Ｓ１０６に進み、読取枚数をカウントアップする。また、同時にＳ１０８で、読取位置に設置された基準板からランプの異常検知を行なう。光量が所定値以上あれば、Ｓ１１０に進み正常に読取が終了する。また、一方画像形成装置３００は、画像データを受信し、順次プリントアウトする。
【００３５】
しかし、連続読取中にランプ異常と判断した場合は、ランプを消灯し、現在読み取りを行なっている読取枚数を記憶する。また、ランプ２１１消灯後も、搬送モータを停止することなく、搬送を終了する。また、原稿束のトータル枚数も合わせて記憶する。このとき画像形成装置は、正常に読取を行なわれた画像については、プリントアウトし、画像形成装置用排紙トレイ３１５に排出し、一時プリント動作を給紙する。
【００３６】
また、この時、読取原稿束をそのまま反転させて再給紙するよう、表示パネルにアニメーション表示を行なう。合わせて、スピーカーから音声で知らせるようにしても構わない。そして、再度原稿検知を行ない、検知後数秒すると、自動的に給紙を開始する。この際、ＦＢ読取コマンドは受け付けない。給紙再開後は、第１の読取ユニットで読込みを行ない、先頭ページから読取を行なうので、Ｓ１１７で画像データを記憶媒体に記憶していく。読取枚数が所定枚数になったらランプをＯＦＦし（Ｓ１１８）、プリントを開始し、読取及びプリント動作を終了する（Ｓ１２２及びＳ１２３）。（前記所定枚数は、故障した時の読取枚数と、読取原稿束の総数から求める。）
このように動作することにより、異なる読取ユニットで読み取ったとしても、同一ジョブ内で、原稿束の順序が変わることなく、正常な順序でかつ、正常な画像の出力を得ることができる。
【００３７】
両面読取時に故障した場合の制御方法について述べていく。両面読取時の片面読取時と同様に、読取枚数を随時カウントアップする（Ｓ２０１）。また、主走査領域外に配置した白基準板の出力も常時監視し、故障検知を行なう（Ｓ２０４）。一方、画像形成装置側は、読取装置から送られてくる画像データを受信し（Ｓ２０２）、Ｓ２０３に進み、第１の読取ユニットからの画像データから順に印刷を開始し、原稿の表面がフェイスアップ排紙するように両面プリントを行なう。
【００３８】
Ｓ２０５において、故障検知を行なった読取ユニットが、どちらであるか判断し、第１の読取手段が故障した場合は、Ｓ２０８に進む。Ｓ２０８では、第１のランプを消灯する。この時、第２の読取ユニットは、そのまま連続して画像読み取り行ない、故障発生後の奇数ページの画像データは、記憶媒体に順に蓄積させる。次にＳ２１２に進み、ＬＣＤ表示とアナウンスにより、読取原稿の反転と搬送方向をユーザに明確に指示し、正確に再給紙してもらうようにする。両面画像読取装置は、給紙トレイに原稿が乗せられたかを検知し、自動的に給紙を行なう。原稿束の偶数ページの先頭から画像の読取を行なうので、奇数ページの画像を蓄積したメモリエリアと異なるメモリエリアに区別してデータを蓄積する。読取枚数が所定枚数に達すると、ランプＯＦＦする。（前記所定枚数は、故障した時の読取枚数と、読取原稿束の総数から求める。）  ランプＯＦＦと同時にプリントを再開させる。Ｓ２１７では、最初の読取時に蓄積データを頭から読み出し（一番古い読取データから）、一方、再給紙後の読取時の蓄積データは、お尻からデータを読み出し（新しい読取データから）、画像形成装置に送信する。これらの画像データを受信し、奇数ページがフェイスアップで排出されるよう両面プリントし排紙する。
【００３９】
このように排出することで、複数トレイをもたず、原稿の表面をフェイスアップ排紙するような複合装置においても、読取原稿と順序が入れ替わることなく、常に正常な画像を読取、出力することができる。
【００４０】
（第２の実施例）
第２の実施例としては、Ｆａｃｅ  ｕｐ排紙及びＦａｃｅ  ｄｏｗｎ排紙することが可能な複合装置において、読取原稿を反転して再給紙を行なう際に、仕切り紙を排出する複合装置がある。前記仕切り紙は、印刷中の出力紙とサイズあるいは、原稿の向きに違いを設けることが望ましい。
【００４１】
図５を用いて、第１の実施例と異なる部分だけを片面読取中に故障を起こした場合について述べる。
【００４２】
まず、構成で異なる点は、第２の実施例は、Ｆａｃｅ  ｄｏｗｎ給紙できるため、先頭ページが読取を行ない、随時出力された出力紙をＦａｃｅ  ｄｏｗｎ排紙する点である。Ｓ３１３において、Ｓ３１０でカウントした枚数が、印刷できたかを確認する。次に故障するまでの枚数の印刷が終了したら、画像形成装置の給紙トレイの原稿サイズ及び向きを判断し、出力し終わった出力紙と異なる原稿サイズあるいは、異なる向きの紙を仕切り紙として排出を行なう。その後、一時停止する。
【００４３】
Ｓ３１６でのユーザへの反転再給紙指示等の指示により、再給紙された原稿を最終ページから読取開始する。その後、読み込んだページ順に、印刷を行ないＦａｃｅ  ｕｐで排紙を行なう。このあとは、第１の実施例と同様に、故障後の印字枚数が所定枚数に達すると、ランプを消灯し、給紙トレイの原稿がなくなるまで、原稿の搬送だけを連続して行なう。
【００４４】
また、印刷が終了すると、出力された原稿の整列順序を容易でかつ正確に重ね合わせられるように、ユーザにＬＣＤの表示や音声で知らせてあげるようにする。これにより、ユーザの負担を最小限に抑えながら、原稿の整列順序が逆に並んだ二つの原稿束を１つの原稿束に重ね合わせることが容易にできるため、原稿の整列順序の正しいコピー原稿を作成することができる。
【００４５】
また、第３の実施例に述べるような複数の排紙口を有するような複合装置においても、排紙トレイに原稿が載置されたままの時などの時に有効である。
【００４６】
（第３の実施例）
第３の実施例としては、図６に示すような原稿反転機構がある排紙装置を装着された図１の複合装置の構成がある。排紙装置５００は画像形成装置から排紙されて原稿を排紙搬送ローラ５０１で原稿を受け取り排出部に排出する。この際、原稿を反転させる場合は、第１の反転フラッパ５０２を介して、反転搬送ローラ５０３により原稿反転排出部に搬送される。次に反転給紙ローラ５０５側に搬送され、原稿検知センサ５０４によって、原稿の後端を検知すると、反転給紙ローラ５０５は、正転を一度停止し、逆回転を開始する。次に、第２の反転フラッパ５０６と第３の反転フラッパ５０７によって、排出口を操作し排出を行なう構成になっている。この排紙装置５００は一例であり、複数のトレイを有する排紙装置を備わっていればその他の複合装置にも適用可能である。
【００４７】
本発明にかかる複合装置は、故障前の読取方式と排紙方向及び故障の発生した光学読取ユニットに応じて、図７の示すような故障発生時に行なう動作に関しての動作テーブルを設けてある。図７には記載されてないが、ＡＤＦへの再給紙指示及び複数のトレイからの複数の原稿束（を１つへ）の合わせ方を指示するようになっている。
【００４８】
ここでは、読取原稿を先頭ページから読取を行ない、印刷した出力紙を先頭ページからＦａｃｅ  ｄｏｗｎで排紙していた時にＳ４０７でランプ異常を検知した場合で説明する。
【００４９】
この時、複合装置は、図８のような動作シーケンスで動作を行なうが、故障時の複合装置の状態に応じて、Ｓ４１７以降の動作変更される。すなわち、第１・２の実施例と異なる点であるＳ４１７以降を説明する。まず、Ｓ４１６において、読取原稿の再読取が始まると、Ｓ４１７で、コピー原稿の載置されてない排紙口を検知し、空いている排紙口があれば、プリントを開始する（Ｓ４１８）。次にＳ４１９に進み、空いているトレイにＦａｃｅ  ｕｐで排紙していく。
【００５０】
その後、印刷が終了すると、Ｓ４２４で複数の排紙口に出力された原稿束同士を正確に重ね合わせられるように、ユーザにＬＣＤの表示や音声で知らせてあげるようにする。
【００５１】
一方、Ｓ４１７で空いている排紙口がないと判断した場合は、Ｓ４２５に進み、読取原稿を最終ページから読取を行ない、メモリに画像データを蓄積させる。全ての読取が終了後、読取原稿の先頭ページから印刷を開始する。
【００５２】
これらにより、途中で故障が発生したとしても、正常な読取画像及び順序・向きでコピー画像を取ることができる。
【００５３】
ここでは、ＡＤＦにおいて紙を下分離して給紙していく場合のみについて説明したが、上分離を行って紙を給紙するＡＤＦにおいても適用できる。
【００５４】
以上のように、読取中に故障が起きた場合について主に述べてきたが、本発明にかかる複合装置は、一方の読取ユニットが故障した後も、継続して両面コピー機として利用できる構成になっている。つまり、一方の光学読取ユニットが故障した際の両面読取を動作シーケンスは図９のようになる。
【００５５】
まず、Ｓ５０１において、故障している光学読取ユニットを検知し、ユーザに対してＬＣＤに表示を行なう。これにより、片面読取時の際に、読取原稿の向きをユーザに告知し、コピーした出力画像が白画像になることを防ぐことができる。次の、原稿が載置され、両面読取が指定された場合は、Ｓ５０５でユーザに奇数ページの向きを操作部から入力してもらい、Ｓ５１１にてプリントの順序あるいは、向きを自動的に選択し、プリントを開始する。
【００５６】
これにより、一方の読取ユニットが故障した状態においても、ユーザの負担を抑えながら、両面コピーを行なうことができる。
【００５７】
【発明の効果】
複数の照射手段と、複数読取手段を持つ両面同時読取装置において、新たに回路を追加することなく、一方の光学読取手段が、読取中に故障を検知した時、及び故障した読取装置の修理が完了するまでの間も、両面及び片面読取が可能で、コピー機として使用できる。また、ユーザも操作案内を画面や音声によって知らせるため、コピー原稿の排紙向き・順序を正確にコピーできるため、無駄な作業や無駄な紙を使うことがなくなる。
【図面の簡単な説明】
【図１】第１の実施例の代表的な両面画像読取装置及び画像形成装置。
【図２】第１の実施例の代表的なブロック図。
【図３】第１の実施例の代表的なシーケンス（片面読取）。
【図４】第１の実施例の代表的なシーケンス（両面読取）。
【図５】第２の実施例の代表的なシーケンス（片面読取）。
【図６】第３の実施例にかかる代表的な排紙装置。
【図７】第３の実施例の動作管理テーブル。
【図８】第３の実施例の代表的なシーケンス（片面読取）。
【図９】故障時の両面コピー動作シーケンス。
【図１０】従来の代表的な両面画像読取装置の動作シーケンス。
【符号の説明】
１０１  プラテンガラス
１０２  第１の照射光源
１０３  第１の反射ミラー
１０４  第１の集光レンズ
１０５  第１のＣＣＤ
１０６  キャリッジ（第一光学読取ユニット）
１０７  第１の白基準板
２０１  自動搬送装置（Ａｕｔｏ  Ｄｏｃｕｍｅｎｔ  Ｆｅｅｄｅｒ：ＡＤＦ）
２０２  給紙トレイ
２０３  ピックアップローラ
２０４  給紙ローラ
２０５  第２の照射光源
２０６  第２の反射ミラー
２０７  第２の集光レンズ
２０８  第２のＣＣＤ
２０９  第２の光学読取ユニット
２１０  第２の白基準板
２１１  排紙ローラ
２１２  排紙トレイ
２１３  原稿
３００  画像形成装置
３０１  レーザスキャナ
３０２  上段カセット
３０３  下段カセット
３０４  ピックアップローラ
３０５  分離ローラ
３０６  分離パッド
３０７，３０８  導入搬送ローラ対
３０９  転写装置
３１０  感光ドラム
３１１  定着ドラム
３１２  フラッパ
３１３  両面搬送路
３１４  排紙ローラ
３１５  画像形成装置用排紙トレイ
４００  第１の読取ユニット
４０１  第１のランプ
４０２  第１のＣＣＤ
４０３  第１のＡ／Ｄ変換モジュール
４０４  第１のゲイン補正
４０５  第１の画像処理部
４０６  第１のＣＰＵ
４０７  第２の読取ユニット
４０８  第２のランプ
４０９  第２のＣＣＤ
４１０  第２のＡ／Ｄ変換モジュール
４１１  第２のゲイン補正
４１２  第２の画像処理部
４１３  第２のＣＰＵ
４１４  画像データ制御部
４１５  第３のＣＰＵ
４１６  制御部
４１７  記憶媒体
４１８  第１の読取ユニット用メモリ領域
４１９  第２の読取ユニット用メモリ領域
４２０  モータ等制御ドライバ
４２１  各種センサ
４２２  各種モータ・ソレノイド
４２３  操作部
４２４  ＣＰＵ
４２５  ＬＣＤ
４２６  スピーカー
４２７  画像形成装置
５００  排紙装置（二段ソーター）
５０１  第１の排紙搬送ローラ
５０２  第１の反転フラッパ
５０３  反転搬送ローラ
５０４  原稿検知センサ
５０５  反転給紙ローラ
５０６  第２の反転フラッパ
５０７  第３の反転フラッパ
５０８  第２の排紙搬送ローラ
５０９  上段排紙ローラ
５１０  下段排紙ローラ
５１１  上段排紙トレイ
５１２  下段排紙トレイ
【図１】
2004343409.tif 000003
【図２】
2004343409.tif 000004
【図３】
2004343409.tif 000005
【図４】
2004343409.tif 000006
【図５】
2004343409.tif 000007
【図６】
2004343409.tif 000008
【図７】
2004343409.tif 000009
【図８】
2004343409.tif 000010
【図９】
2004343409.tif 000011
【図１０】
2004343409.tif 000012